(57)【要約】【課題】サステイン駆動装置のエネルギー回収回路を改善して、回路損失を抑制して、エネルギー回収率を向上させることのできるプラズマディスプレイ装置及びその駆動装置を提供すること。【解決手段】本発明のプラズマディスプレイ装置は、電極を含むプラズマディスプレイパネルと、基準電圧を供給する電圧源と接続され、負の第１電圧に該当するエネルギーを供給するか、回収するエネルギー貯蔵部と、該エネルギー貯蔵部から前記負の第１電圧に該当するエネルギーを共振により前記電極を介して前記プラズマディスプレイパネルに供給するか、前記電極を介して前記プラズマディスプレイパネルから前記負の第１電圧に該当するエネルギーを共振により前記エネルギー貯蔵部に回収する経路形成部と、前記負の第１電圧に該当するエネルギーが供給された後、前記電極に負の第２電圧を印加し、前記負の第１電圧に該当するエネルギーが回収された後、前記電極に基準電圧を印加する電圧印加部とを備える。【選択図】図６
2006163416.tif 000002
【特許請求の範囲】
【請求項１】
電極を含むプラズマディスプレイパネルの駆動装置において、
基準電圧を供給する電圧源と接続され、負の第１電圧に該当するエネルギーを供給するか、回収するエネルギー貯蔵部と、
該エネルギー貯蔵部から前記負の第１電圧に該当するエネルギーを共振により前記電極に供給するか、前記電極から前記負の第１電圧に該当するエネルギーを共振により前記エネルギー貯蔵部に回収する経路形成部と、
前記負の第１電圧に該当するエネルギーが供給された後、前記電極に負の第２電圧を印加し、前記負の第１電圧に該当するエネルギーが回収された後、前記電極に基準電圧を印加する電圧印加部と
を備えることを特徴とするプラズマディスプレイパネルの駆動装置。
【請求項２】
前記基準電圧は、グランドレベルの電圧であることを特徴とする請求項１に記載のプラズマディスプレイパネルの駆動装置。
【請求項３】
前記負の第１電圧は、前記負の第２電圧の０．５倍であることを特徴とする請求項１に記載のプラズマディスプレイパネルの駆動装置。
【請求項４】
前記負の第２電圧は、放電を維持するための電圧である負のサステイン電圧であることを特徴とする請求項１に記載のプラズマディスプレイパネルの駆動装置。
【請求項５】
前記負の第１電圧は、前記負のサステイン電圧の０．５倍であることを特徴とする請求項４に記載のプラズマディスプレイパネルの駆動装置。
【請求項６】
前記エネルギー貯蔵部は、前記エネルギーを貯蔵するキャパシタを備え、
該キャパシタの一端は、前記基準電圧を供給する電圧源と接続され、前記キャパシタの他端を介して前記エネルギーが供給されるか、回収されることを特徴とする請求項１に記載のプラズマディスプレイパネルの駆動装置。
【請求項７】
前記負の第１電圧は、−１００Ｖであり、前記負の第２電圧は、−２００Ｖであることを特徴とする請求項１に記載のプラズマディスプレイパネルの駆動装置。
【請求項８】
電極を含むプラズマディスプレイパネルと、
基準電圧を供給する電圧源と接続され、負の第１電圧に該当するエネルギーを供給するか、回収するエネルギー貯蔵部と、
該エネルギー貯蔵部から前記負の第１電圧に該当するエネルギーを共振により前記電極を介して前記プラズマディスプレイパネルに供給するか、前記電極を介して前記プラズマディスプレイパネルから前記負の第１電圧に該当するエネルギーを共振により前記エネルギー貯蔵部に回収する経路形成部と、
前記負の第１電圧に該当するエネルギーが供給された後、前記電極に負の第２電圧を印加し、前記負の第１電圧に該当するエネルギーが回収された後、前記電極に基準電圧を印加する電圧印加部と
を備えることを特徴とするプラズマディスプレイ装置。
【請求項９】
前記基準電圧は、グランドレベルの電圧であることを特徴とする請求項８に記載のプラズマディスプレイ装置。
【請求項１０】
前記負の第１電圧は、前記負の第２電圧の０．５倍であることを特徴とする請求項８に記載のプラズマディスプレイ装置。
【請求項１１】
前記負の第２電圧は、放電を維持するための電圧である負のサステイン電圧であることを特徴とする請求項８に記載のプラズマディスプレイ装置。
【請求項１２】
前記負の第１電圧は、前記負のサステイン電圧の０．５倍であることを特徴とする請求項１１に記載のプラズマディスプレイ装置。
【請求項１３】
前記エネルギー貯蔵部は、前記エネルギーを貯蔵するキャパシタを備え、
該キャパシタの一端は、前記基準電圧を供給する電圧源と接続され、前記キャパシタの他端を介して前記エネルギーが供給されるか、回収されることを特徴とする請求項８に記載のプラズマディスプレイ装置。
【請求項１４】
前記負の第１電圧は、−１００Ｖであり、前記負の第２電圧は、−２００Ｖであることを特徴とする請求項８に記載のプラズマディスプレイ装置。
【請求項１５】
前記基準電圧を供給する電圧源は、前記プラズマディスプレイパネルを支持するフレームであることを特徴とする請求項８に記載のプラズマディスプレイ装置。
【発明の詳細な説明】
【技術分野】
【０００１】
本発明は、プラズマディスプレイ装置及びその駆動装置に関する。
【背景技術】
【０００２】
従来のプラズマディスプレイパネルは、前面パネルと後面パネルとの間に形成された隔壁がセルをなす。各セル内には、不活性ガスが充填される。不活性ガスには、ネオン（Ｎｅ）、ヘリウム（Ｈｅ）またはネオン及びヘリウムの混合気体（Ｎｅ＋Ｈｅ）のような主放電気体と少量のキセノン（Ｘｅ）とを含有する。高周波電圧により放電が起きる時、不活性ガスにより発生された真空紫外線（Vacuum Ultraviolet rays）は、隔壁の間に形成された蛍光体を発光させる。
【０００３】
図１は、従来プラズマディスプレイ装置を概略的に示したものである。図１に示されているように、従来のプラズマディスプレイ装置は、フロントキャビネット１１１及びバックカバー（Back cover）１１２を含むケース１１０と、ケース１１０に装着されるプラズマディスプレイパネル１２０と、プラズマディスプレイパネルを駆動するための駆動装置１３０と、駆動装置１３０と接続されてプラズマディスプレイパネルの動作の際に発生する熱を放出させ、前記プラズマディスプレイパネルを支持するためのフレーム１４０とを備える。
【０００４】
また、従来のプラズマディスプレイ装置は、透明性ガラス基板（図示せず）にフィルムが付着されて形成されたフィルタ１５０、該フィルタ１５０を支持しバックカバー１１２と電気的に接続されるフィンガースプリングガスケット（Finger Spring Gasket）１６０及びフィルタ支持台（FＩＬter Supporter）１７０と、駆動装置１３０とプラズマディスプレイパネル１２０とを支持するモジュール支持台（Module Supporter）１８０とを備える。
【０００５】
一方、プラズマディスプレイパネルを駆動するための駆動装置１３０は、サステイン期間に選択されたセルの放電を維持するために、サステイン電圧Ｖｓをスキャン電極及びサステイン電極に交互に印加する。
【０００６】
従来のプラズマディスプレイパネルの駆動装置１３０は、スキャン電極駆動部とサステイン電極駆動部とを備える。スキャン電極駆動部とサステイン電極駆動部とのそれぞれは、エネルギー回収回路を含む。
【０００７】
図２ａは、従来プラズマディスプレイパネルの駆動装置に含まれたエネルギー回収回路を示したものである。図２ｂは、図２ａのエネルギー回収回路によって発生するサステインパルスの波形である。図２ａ及び図２ｂに示されているように、従来のエネルギー回収回路は、無効電力を回収するためのものである。
図２ａの供給／回収用キャパシタＣｓｓは、サステイン放電に必要なエネルギーを貯蔵又は放出する。供給／回収用キャパシタＣｓｓはＶｓ／２に充電されているものとする。Ｖｓは、サステイン電圧である。
【０００８】
第１状態Ｓｔａｔｅ１では、第１スイッチＱ１がターンオンされ、第２スイッチないしは第４スイッチＱ２、Ｑ３、Ｑ４は、ターンオフされる。これにより、インダクタＬとプラズマディスプレイパネルのキャパシタンス成分Ｃｐとの共振により、キャパシタＣｓｓに貯蔵されていたエネルギーが、プラズマディスプレイパネルのキャパシタンス成分Ｃｐに供給される。これにより、スキャン電極またはサステイン電極の電圧Ｖｐがサステイン電圧Ｖｓまで上昇する。サステイン電圧Ｖｓは、放電セルの放電を維持するための電圧である。インダクタ（inductor）Ｌに流れる電流は、キャパシタＣｓｓからプラズマディスプレイパネルＣｐのキャパシタンス成分Ｃｐにエネルギーが供給されるので、＋ＩＬとなる。
【０００９】
第２状態Ｓｔａｔｅ２では、第１スイッチＱ１と第２スイッチＱ２とがターンオンされ、第３スイッチＱ３と第４スイッチＱ４とは、ターンオフされる。これにより、スキャン電極またはサステイン電極の電圧Ｖｐは、サステイン電圧Ｖｓに維持される。
【００１０】
第３状態Ｓｔａｔｅ３では、第３スイッチＱ３がターンオンされ、第１スイッチＱ１、第２スイッチＱ２及び第４スイッチＱ４は、ターンオフされる。これにより、プラズマディスプレイパネルのキャパシタンス成分Ｃｐに貯蔵されていたエネルギーが、インダクタＬとプラズマディスプレイパネルのキャパシタンス成分Ｃｐとの共振により、キャパシタＣｓｓに放電されながらエネルギーが回収される。これにより、スキャン電極またはサステイン電極の電圧Ｖｐは、グランドレベルの電圧まで降下する。第３状態では、プラズマディスプレイパネルのキャパシタンス成分ＣｐからキャパシタＣｓｓに電流が流れるので、インダクタＬに流れる電流は、−ＩＬとなる。
【００１１】
第４状態Ｓｔａｔｅ４では、第３スイッチＱ３と第４スイッチＱ４とがターンオンされ、第１スイッチＱ１と第２スイッチＱ２とは、ターンオフされる。これにより、スキャン電極及びサステイン電極の電圧Ｖｐは、グランドレベルの電圧に維持される。
【００１２】
図３ａと図３ｂとは、従来のエネルギー回収回路の電流ループを示したものである。図３ａに示されているように、図２ｂの第１状態Ｓｔａｔｅ１において、インダクタＬに流れる電流＋ＩＬは、インダクタＬとプラズマディスプレイパネルＣｐとの共振により形成される。共振電流＋ＩＬは、プラズマディスプレイパネルのキャパシタンス成分Ｃｐを通過した後、グランド電圧源ＧＮＤに流れる。
【００１３】
また、図３ｂに示されているように、図２ｂの第３状態Ｓｔａｔｅ３において、インダクタＬに流れる電流−ＩＬは、インダクタＬとプラズマディスプレイパネルのキャパシタンス成分Ｃｐとの共振により形成される。共振電流−ＩＬは、グランド電圧源ＧＮＤからプラズマディスプレイパネルのキャパシタンス成分ＣｐとキャパシタＣｓｓとを通過する。
【００１４】
図３ａと図３ｂとに示されたグランド電圧源ＧＮＤの役割は、図１のフレーム１４０が担当する。
【００１５】
図４ａは、ネガティブサステインパルスを生成する従来のエネルギー回収回路を示したものである。図４ｂは、図４ａのエネルギー回収回路により形成されるネガティブサステインパルスの波形を示したものである。
【００１６】
図４ａの供給／回収用キャパシタＣｓｓは、サステイン放電に必要なエネルギーを貯蔵又は放出する。供給／回収用キャパシタＣｓｓは、−Ｖｓ／２に充電されているものとする。Ｖｓは、サステイン電圧である。
【００１７】
第１スイッチＱ１のターンオンにより、供給／回収用キャパシタＣｓｓに貯蔵されていたエネルギーは、プラズマディスプレイパネルのキャパシタンス成分Ｃｐに供給される。
【００１８】
第２スイッチＱ２のターンオンにより、プラズマディスプレイパネルのキャパシタンス成分Ｃｐの電圧は、ネガティブサステイン電圧−Ｖｓに維持される。
【００１９】
第３スイッチＱ３のターンオンにより、エネルギーがプラズマディスプレイパネルのキャパシタンス成分Ｃｐから供給／回収用キャパシタＣｓｓに回収される。
【００２０】
第４スイッチＱ４のターンオンにより、プラズマディスプレイパネルのキャパシタンス成分Ｃｐの電圧は、グランドレベルの電圧に維持される。
【００２１】
インダクタＬは、第１スイッチＱ１のターンオンによりエネルギーが供給されるか、第３スイッチＱ３のターンオンによりエネルギーが回収される時、プラズマディスプレイパネルのキャパシタンス成分Ｃｐと直列の共振回路を構成する。
【００２２】
図５は、ネガティブサステインパルスを生成する従来のエネルギー回収回路の電流ループを示したものである。図５に示されているように、図４ｂの第１状態Ｓｔａｔｅ１において、供給／回収用キャパシタＣｓｓに貯蔵されていたエネルギーがプラズマディスプレイパネルのキャパシタンス成分Ｃｐに供給される時、インダクタＬに流れる電流は、図５の矢印方向に流れる。すなわち、図４ｂの第１状態Ｓｔａｔｅ１において、インダクタＬに流れる電流は、供給／回収用キャパシタＣｓｓとネガティブサステイン電圧源−Ｖｓとの接続により、プラズマディスプレイパネルのキャパシタンス成分Ｃｐとネガティブサステイン電圧源−Ｖｓとを経由する。
【００２３】
プラズマディスプレイパネルのキャパシタンス成分Ｃｐとネガティブサステイン電圧源−Ｖｓとからなる電流ループでは、図１のフレーム１４０がグランド電圧源ＧＮＤの機能をしないので、電流の流れがスムーズにならない。
【００２４】
また、プラズマディスプレイパネルのキャパシタンス成分Ｃｐとネガティブサステイン電圧源−Ｖｓとからなる電流ループは、ネガティブサステイン電圧源−Ｖｓを経由するため、エネルギー回収回路が形成されたボードと導線との間で発生する誘導損失のような回路損失が発生し、回路損失の発生によりエネルギー回収率が低下する。
【発明の開示】
【発明が解決しようとする課題】
【００２５】
本発明は、上記の問題を解決するためになされたものであって、その目的は、回路損失を抑制し、エネルギー回収率を向上させ得るプラズマディスプレイパネルの駆動装置及びプラズマディスプレイ装置を提供することにある。
【課題を解決するための手段】
【００２６】
本発明の実施の形態に係るプラズマディスプレイパネルの駆動装置は、基準電圧を供給する電圧源と接続され、負の第１電圧に該当するエネルギーを供給するか、回収するエネルギー貯蔵部と、該エネルギー貯蔵部から前記負の第１電圧に該当するエネルギーを共振により前記電極に供給するか、前記電極から前記負の第１電圧に該当するエネルギーを共振により前記エネルギー貯蔵部に回収する経路形成部と、前記負の第１電圧に該当するエネルギーが供給された後、前記電極に負の第２電圧を印加し、前記負の第１電圧に該当するエネルギーが回収された後、前記電極に基準電圧を印加する電圧印加部とを備える。
【００２７】
本発明の実施の形態に係るプラズマディスプレイ装置は、電極を含むプラズマディスプレイパネルと、基準電圧を供給する電圧源と接続され、負の第１電圧に該当するエネルギーを供給するか、回収するエネルギー貯蔵部と、該エネルギー貯蔵部から前記負の第１電圧に該当するエネルギーを共振により前記電極を介して前記プラズマディスプレイパネルに供給するか、前記電極を介して前記プラズマディスプレイパネルから前記負の第１電圧に該当するエネルギーを共振により前記エネルギー貯蔵部に回収する経路形成部と、前記負の第１電圧に該当するエネルギーが供給された後、前記電極に負の第２電圧を印加し、前記負の第１電圧に該当するエネルギーが回収された後、前記電極に基準電圧を印加する電圧印加部とを備える。
【発明の効果】
【００２８】
本発明によれば、サステイン駆動装置のエネルギー回収回路を改善して、回路損失を抑制し、エネルギー回収率を向上させることのできる効果がある。
【００２９】
また、本発明は、サステイン駆動装置のエネルギー回収回路を改善して、スムーズな電流ループをなすことができる。
【発明を実施するための最良の形態】
【００３０】
以下、本発明の最も好ましい実施形態を添付した図面を参照しつつ説明する。
【００３１】
本発明の実施の形態に係るプラズマディスプレイパネルの駆動装置は、基準電圧を供給する電圧源と接続され、負の第１電圧に該当するエネルギーを供給又は回収するエネルギー貯蔵部と、該エネルギー貯蔵部から前記負の第１電圧に該当するエネルギーを共振により前記電極に供給するか、前記電極から前記負の第１電圧に該当するエネルギーを共振により前記エネルギー貯蔵部に回収する経路形成部と、前記負の第１電圧に該当するエネルギーが供給された後、前記電極に負の第２電圧を印加し、前記負の第１電圧に該当するエネルギーが回収された後、前記電極に基準電圧を印加する電圧印加部とを備える。
【００３２】
前記基準電圧は、グランドレベルの電圧である。
【００３３】
前記負の第１電圧は、前記負の第２電圧の０．５倍である。
【００３４】
前記負の第２電圧は、放電を維持するための電圧である負のサステイン電圧である。
【００３５】
前記負の第１電圧は、前記負のサステイン電圧の０．５倍である。
【００３６】
前記エネルギー貯蔵部は、前記エネルギーを貯蔵するキャパシタを備え、該キャパシタの一端は、前記基準電圧を供給する電圧源と接続され、前記キャパシタの他端を介して前記エネルギーが供給されるか、回収される。
【００３７】
前記負の第１電圧は、−１００Ｖであり、前記負の第２電圧は、−２００Ｖである。
【００３８】
本発明の実施の形態に係るプラズマディスプレイ装置は、電極を含むプラズマディスプレイパネルと、基準電圧を供給する電圧源と接続され、負の第１電圧に該当するエネルギーを供給するか、回収するエネルギー貯蔵部と、該エネルギー貯蔵部から前記負の第１電圧に該当するエネルギーを共振により前記電極を介して前記プラズマディスプレイパネルに供給するか、前記電極を介して前記プラズマディスプレイパネルから前記負の第１電圧に該当するエネルギーを共振により前記エネルギー貯蔵部に回収する経路形成部と、前記負の第１電圧に該当するエネルギーが供給された後、前記電極に負の第２電圧を印加し、前記負の第１電圧に該当するエネルギーが回収された後、前記電極に基準電圧を印加する電圧印加部とを備える。
【００３９】
前記基準電圧は、グランドレベルの電圧である。
【００４０】
前記負の第１電圧は、前記負の第２電圧の０．５倍である。
【００４１】
前記負の第２電圧は、放電を維持するための電圧である負のサステイン電圧である。
【００４２】
前記負の第１電圧は、前記負のサステイン電圧の０．５倍である。
【００４３】
前記エネルギー貯蔵部は、前記エネルギーを貯蔵するキャパシタを備え、該キャパシタの一端は、前記基準電圧を供給する電圧源と接続され、前記キャパシタの他端を介して前記エネルギーが供給されるか、回収される。
【００４４】
前記負の第１電圧は−１００Ｖであり、前記負の第２電圧は−２００Ｖである。
【００４５】
前記基準電圧を供給する電圧源は、前記プラズマディスプレイパネルを支持するフレームである。
【００４６】
図６は、本発明の実施の形態に係るプラズマディスプレイ装置を示した図である。図６に示されているように、本発明の実施の形態に係るプラズマディスプレイ装置は、プラズマディスプレイパネル５９０、エネルギー貯蔵部６１０、経路形成部６３０及び電圧印加部６５０を備える。
【００４７】
<プラズマディスプレイパネル>
【００４８】
プラズマディスプレイパネル５９０は、駆動パルスを印加されるための電極ＥＬＤを含む。図６のキャパシタンス成分Ｃｐは、プラズマディスプレイパネルの電極により形成される。プラズマディスプレイパネル５９０の電極は、アドレス期間に選択されたセルで放電を維持するためのサステインパルスを供給されるためのものである。
【００４９】
<エネルギー貯蔵部>
【００５０】
エネルギー貯蔵部６１０は、基準電圧ＧＮＤを供給する電圧源と接続された一端と、負の第１電圧−Ｖｓ／２に該当するエネルギーが出力されるか、入力される他端とからなる。負の第１電圧は、負のサステイン電圧−Ｖｓの０．５倍であることが好ましい。負のサステイン電圧−Ｖｓは、アドレス期間に選択されたセルで放電が維持されるためのものである。基準電圧ＧＮＤは、グランドレベルの電圧が好ましい。
【００５１】
エネルギー貯蔵部６１０は、負の第１電圧−Ｖｓ／２に該当するエネルギーが貯蔵されるキャパシタＣｓｓを含む。キャパシタＣｓｓの一端は、基準電圧ＧＮＤと接続される。負の第１電圧−Ｖｓ／２に該当するエネルギーの入力及び出力は、キャパシタＣｓｓの他端を介して行われる。
【００５２】
<経路形成部>
【００５３】
経路形成部６３０は、エネルギー貯蔵部６１０から負の第１電圧−Ｖｓ／２に該当するエネルギーを、共振により電極ＥＬＤを介してプラズマディスプレイパネル５９０に供給するか、電極ＥＬＤを介して、プラズマディスプレイパネル５９０から負の第１電圧に該当するエネルギーを共振によりエネルギー貯蔵部６１０に回収する。
【００５４】
経路形成部６３０は、エネルギー供給制御部６３１、エネルギー回収制御部６３３及びインダクタ部６３５を含む。
【００５５】
エネルギー供給制御部６３１は、エネルギー貯蔵部６１０のキャパシタＣｓｓから負の第１電圧−Ｖｓ／２に該当するエネルギーを、電極ＥＬＤを介してプラズマディスプレイパネル５９０に供給することを制御する。エネルギー供給制御部６３１は、第１スイッチＱ１と第１ダイオードＤ１とを備える。第１スイッチＱ１は、ターンオンされて、エネルギー貯蔵部６１０のキャパシタＣｓｓに貯蔵されていたエネルギーをプラズマディスプレイパネル５９０のキャパシタンス成分Ｃｐに供給する。第１ダイオードＤ１は、プラズマディスプレイパネル５９０のキャパシタンス成分Ｃｐから第１スイッチＱ１を経てキャパシタＣｓｓ側に流れる逆電流を遮断する。第１ダイオードＤ１のカソード端は、インダクタ部６３０に含まれたインダクタＬの一端に接続され、アノード端は、第１スイッチＱ１の一端に接続される。
【００５６】
エネルギー回収制御部６３３は、電極ＥＬＤを介してプラズマディスプレイパネル５９０から負の第１電圧−Ｖｓ／２に該当するエネルギーをエネルギー貯蔵部６１０に回収することを制御する。エネルギー回収制御部６３３は、第３スイッチＱ３と第２ダイオードＤ２とを備える。第３スイッチＱ３は、ターンオンされて、サステイン放電の際の無効電力の電圧成分がエネルギー貯蔵部６１０のキャパシタＣｓｓに回収されるようにする。第２ダイオードＤ２は、供給及び回収用キャパシタＣｓｓから第３スイッチＱ３を経てパネルＣｐ側に流れる逆電流を遮断する。第２ダイオードＤ２のアノード端は、インダクタ部６３５に含まれたインダクタＬの一端に接続され、第２ダイオードＤ２のカソード端は、第３スイッチＱ３の一端に接続される。
【００５７】
インダクタ部６３５は、プラズマディスプレイパネル５９０のキャパシタンス成分Ｃｐと共振回路を構成する。したがって、エネルギー貯蔵部６１０に貯蔵されたエネルギーがエネルギー供給制御部６３１によりプラズマディスプレイパネルのキャパシタンス成分Ｃｐに供給される時、プラズマディスプレイパネルのキャパシタンス成分Ｃｐは、インダクタ部６３５を経て供給される電流により、負の第２電圧リンサステイン電圧−Ｖｓまで充電される。
【００５８】
また、第３スイッチＱ３のターンオンにより、プラズマディスプレイパネルのキャパシタンス成分Ｃｐに充電されたエネルギーがエネルギー貯蔵部６１０に回収される時、エネルギー貯蔵部６１０は、インダクタ部６３０を経てプラズマディスプレイパネルのキャパシタンス成分Ｃｐから回収されるエネルギーにより充電される。
【００５９】
<電圧印加部>
【００６０】
電圧印加部６５０は、負の第１電圧−Ｖｓ／２に該当するエネルギーが、電極ＥＬＤを介してプラズマディスプレイパネル５９０に供給された後、電極ＥＬＤに負の第２電圧−Ｖｓを印加し、負の第１電圧−Ｖｓ／２に該当するエネルギーが電極ＥＬＤから回収された後、電極ＥＬＤに基準電圧を印加する。負の第２電圧は、負のサステイン電圧−Ｖｓが好ましい。基準電圧は、グランドレベルの電圧ＧＮＤが好ましい。
【００６１】
電圧印加部６５０は、第２電圧供給部６５１と基準電圧供給部６５３とを含む。第２電圧供給部６５１は、第２スイッチＱ２を含む。第２スイッチＱ２の一端は、負の第２電圧を供給する電圧源と接続される。エネルギー貯蔵部６１０からプラズマディスプレイパネル５９０のキャパシタンス成分Ｃｐにエネルギーが供給された後、プラズマディスプレイパネル５９０のキャパシタンス成分Ｃｐの電圧が負の第２電圧になった時、第２スイッチＱ２はターンオンされる。第２スイッチＱ２のターンオンにより、プラズマディスプレイパネル５９０のキャパシタンス成分Ｃｐの電圧は、ネガティブサステイン電圧−Ｖｓに維持される。
【００６２】
基準電圧供給部６５３は、第４スイッチＱ４を含む。第４スイッチＱ４の一端は、基準電圧を供給する電圧源と接続される。プラズマディスプレイパネル５９０のキャパシタンス成分Ｃｐからエネルギーが回収されて、プラズマディスプレイパネル５９０のキャパシタンス成分Ｃｐの電圧が基準電圧まで上昇される時、第４スイッチＱ４がターンオンされる。第４スイッチＱ４のターンオンにより、プラズマディスプレイパネル５９０のキャパシタンス成分Ｃｐの電圧は、基準電圧に維持される。
【００６３】
本発明の実施の形態に係るプラズマディスプレイ装置のエネルギー貯蔵部６１０の一端は、基準電圧ＧＮＤを供給する電圧源と第４スイッチＱ４の共通端とに接続される。本発明の実施の形態に係るプラズマディスプレイ装置では、図１のフレーム１４０が基準電圧を供給する電圧源として用いられる。したがって、本発明の実施の形態に係るプラズマディスプレイパネル装置は、プラズマディスプレイパネルにエネルギー供給するか、回収する時、図１のフレーム１４０によりスムーズな電流ループを形成する。フレーム１４０によりスムーズな電流ループが形成されることによって、回路損失（電力損失）が抑制され、かつエネルギー回収率もまた向上する。
【００６４】
図７は、本発明の実施の形態に係るプラズマディスプレイ装置の動作にともなうサステインパルスの波形図である。
【００６５】
第１状態Ｓｔａｔｅ１では、第１スイッチＱ１がターンオンされ、第２スイッチＱ２、第３スイッチＱ３及び第４スイッチＱ４は、ターンオフされる。キャパシタＣｓｓに貯蔵された負の第１電圧−Ｖｓ／２に該当するエネルギーが、プラズマディスプレイパネル５９０のキャパシタンスＣｐに供給される。プラズマディスプレイパネル５９０のキャパシタンスＣｐの電圧Ｖｐは、インダクタＬとプラズマディスプレイパネル５９０のキャパシタンスＣｐとの共振により、負の第２電圧−Ｖｓまで下降する。インダクタＬを介して流れる電流は、負の第１電圧に該当するエネルギーの供給により形成されるので、−ＩＬとなる。
【００６６】
第２状態Ｓｔａｔｅ２では、第１スイッチＱ１と第２スイッチＱ２とがターンオンされ、第３スイッチＱ３と第４スイッチＱ４とは、ターンオフされる。これに伴い、プラズマディスプレイパネル５９０のキャパシタンスＣｐの電圧Ｖｐは、負の第２電圧−Ｖｓに維持される。すなわち、ｔ＝ｔ１において、ＬＣ共振によりプラズマディスプレイパネル５９０のキャパシタンス成分Ｃｐの電圧Ｖｐが負の第２電圧−Ｖｓになる時、負の第２電圧−Ｖｓがプラズマディスプレイパネル５９０のキャパシタンス成分Ｃｐに印加される。
【００６７】
以後、第３状態Ｓｔａｔｅ３では、第３スイッチＱ３がターンオンされ、第１スイッチＱ１、第２スイッチＱ２及び第４スイッチＱ４は、ターンオフされる。プラズマディスプレイパネルのキャパシタンス成分Ｃｐに貯蔵されていたエネルギーがキャパシタＣｓｓに回収される。プラズマディスプレイパネル５９０のキャパシタンス成分Ｃｐの電圧Ｖｐは、インダクタＬとプラズマディスプレイパネル５９０のキャパシタンスＣｐとの共振により、基準電圧まで上昇する。第３状態Ｓｔａｔｅ３では、パネルＣｐからキャパシタＣｓｓの方にネガティブ電圧特性を有するエネルギーが供給されているので、インダクタＬに流れる電流は、負の第１電圧に該当するエネルギーの回収により形成されるので、＋ＩＬとなる。
【００６８】
最後に、第４状態Ｓｔａｔｅ４では、第３スイッチＱ３と第４スイッチＱ４とがターンオンされ、第１スイッチＱ１と第２スイッチＱ２とは、ターンオフされる。これに伴い、プラズマディスプレイパネル５９０のキャパシタンス成分Ｃｐの電圧Ｖｐは、基準電圧に維持される。
【００６９】
図８ａは、図７の第１状態での電流ループ（電子の流れのループ）を示した図である。図８ａに示されているように、第１状態Ｓｔａｔｅ１では、キャパシタＣｓｓに貯蔵されていた負の第１電圧−Ｖｓ／２に該当するエネルギーが、プラズマディスプレイパネル５９０のキャパシタンス成分Ｃｐに供給される。インダクタＬを経た負の電流は、プラズマディスプレイパネル５９０を通過した後、基準電圧を供給する電圧源ＧＮＤに流れる。
【００７０】
図８ｂは、図７の第３状態での電流ループを示した図である。図８ｂに示されているように、第３状態Ｓｔａｔｅ３では、プラズマディスプレイパネル５９０のキャパシタンス成分Ｃｐに貯蔵されていた−Ｖｓ／２に該当するエネルギーがキャパシタＣｓｓに回収される。インダクタＬを経た負の電流は、第３スイッチＱ３とキャパシタＣｓｓとを経て、基準電圧を供給する電圧源ＧＮＤに流れる。
【００７１】
第１状態Ｓｔａｔｅ１と第３状態Ｓｔａｔｅ３とにおいて、基準電圧を供給する電圧源ＧＮＤは、図１のプラズマディスプレイ装置のフレーム１４０である。
【００７２】
図９は、本発明の実施の形態に係るプラズマディスプレイ装置の電流波形及び電圧波形を示した図である。
【００７３】
図９の上段に示されているような共振電流波形が形成され、プラズマディスプレイパネルのキャパシタンス成分の電圧は、図９の下段に示されたようなネガティブサステインパルスが形成される。ネガティブサステインパルスの最大電圧レベルは、０Ｖであり、最小電圧レベルは、−２００Ｖである。図９の下段の横方向に延びて負の電圧に漸近するラインは、キャパシタＣｐ又はＣｓｓの電圧を示す。この電圧は、初期０Ｖからサステイン放電の回数が増加するにつれて、徐々に−１００Ｖ（＝−２００Ｖ／２=−Ｖｓ／２）になる。
【００７４】
したがって、本発明の実施の形態に係るシミュレーション装置が正常に動作していることが分かる。
【００７５】
尚、本発明は、上記した本実施の形態に限られるものではなく、本発明の技術的思想から逸脱しない範囲内で多様に変更して実施することが可能である。
【図面の簡単な説明】
【００７６】
【図１】従来のプラズマディスプレイ装置を概略的に示した図である。
【図２】（ａ）は、従来のプラズマディスプレイパネルの駆動装置に含まれたエネルギー回収回路を示した図であり、（ｂ）は、（ａ）のエネルギー回収回路により発生するサステインパルスの波形である。
【図３】（ａ）は、従来のエネルギー回収回路の電流ループを示した図でああり、（ｂ）は、従来のエネルギー回収回路の電流ループを示した図である。
【図４】（ａ）は、ネガティブサステインパルスを生成する従来のエネルギー回収回路を示した図であり、（ａ）ののエネルギー回収回路により形成されるネガティブサステインパルスの波形を示した図である。
【図５】ネガティブサステインパルスを生成する従来のエネルギー回収回路の電流ループを示した図である。
【図６】本発明の実施の形態に係るプラズマディスプレイ装置を示した図である。
【図７】本発明の実施の形態に係るプラズマディスプレイ装置の動作にともなうサステインパルスの波形図である。
【図８ａ】図７の第１状態における電流ループを示した図である。
【図８ｂ】図７の第３状態における電流ループを示した図である。
【図９】本発明の実施形態に係るプラズマディスプレイ装置の電流波形及び電圧波形を示した図である。
【符号の説明】
【００７７】
１１０  ケース
１１２  バックカバー
１２０  プラズマディスプレイパネル
１３０  駆動装置
１４０  フレーム
１５０  フィルタ
１６０  ガスケット
１７０  フィルタ支持台
１８０  モジュール支持台
５９０  プラズマディスプレイパネル
６１０  エネルギー貯蔵部
６３０  経路形成部
６３１  エネルギー供給制御部
６３３  エネルギー回収制御部
６３５  インダクタ部
６５０  電圧印加部
６５１  第２電圧供給部
６５３  基準電圧供給部
Ｃｓｓ  供給回収キャパシタ
Ｑ１〜Ｑ４  第１〜第４スイッチ
Ｄ１、Ｄ２  ダイオード
Ｌ  インダクタ
Ｖｓ  サステイン電圧
Ｖｐ  スキャン電極またはサステイン電極の電圧
ＥＬＤ  駆動パルスを印加されるための電極ＥＬＤ
【図１】
2006163416.tif 000003
【図２】
2006163416.tif 000004
【図３】
2006163416.tif 000005
【図４】
2006163416.tif 000006
【図５】
2006163416.tif 000007
【図６】
2006163416.tif 000008
【図７】
2006163416.tif 000009
【図８ａ】
2006163416.tif 000010
【図８ｂ】
2006163416.tif 000011
【図９】
2006163416.tif 000012